【手続補正書】
【提出日】平成16年6月25日(2004.6.25)
【手続補正１】
【補正対象書類名】特許請求の範囲
【補正対象項目名】全文
【補正方法】変更
【補正の内容】
【特許請求の範囲】
【請求項１】
通信相手の送信電力を制御するための複数の送信電力制御情報を生成する送信電力制御情報生成手段と、前記複数の送信電力制御情報を１タイムスロットに含めた送信信号を生成する送信信号生成手段と、前記送信信号を送信する送信手段と、を具備する通信装置。
【請求項２】
前記送信電力制御情報は、前記通信相手から受信した複数タイムスロットの信号に基づいて生成される請求項１記載の通信装置。
【請求項３】
前記送信電力制御情報は、前記通信相手から受信した複数タイムスロットの信号から算出した、複数のＳＩＲに基づいて生成されている請求項１に記載の通信装置。
【請求項４】
通信相手からの信号を複数タイムスロットの間受信する受信手段と、
前記受信手段で受信した複数タイムスロットの信号に基づいて、前記通信相手の送信電力を制御するための送信電力制御情報を複数生成する送信電力制御情報生成手段と、
前記送信電力制御情報生成手段で生成された複数の送信電力制御情報と送信データとを、１タイムスロットに含めた送信信号を生成する送信信号生成手段と、
前記送信信号生成手段で生成された送信信号を前記通信相手に送信する送信手段と、を備えた通信装置。
【請求項５】
１タイムスロットに複数の送信電力制御情報を含む信号を受信する受信手段と、
前記複数の送信電力制御情報に基づいて、複数タイムスロットの信号の送信電力を各々増幅する増幅手段と、
前記増幅手段で増幅された複数タイムスロットの信号を送信する送信手段と、を備えた通信装置。
【請求項６】
通信相手と非対称通信を行う請求項１から請求項５いずれかに記載の通信装置。
【請求項７】
通信相手から受信する信号のタイムスロット数と、通信相手へ送信する信号のタイムスロット数とが異なる通信を行う請求項１から請求項５いずれかに記載の通信装置。
【請求項８】
通信相手から受信する信号のタイムスロット数が、通信相手へ送信する信号のタイムスロット数より多い通信を行う請求項１から請求項４いずれかに記載の通信装置。
【請求項９】
通信相手から受信する信号のタイムスロット数が、通信相手へ送信する信号のタイムスロット数より小さい通信を行う請求項５に記載の通信装置。
【請求項１０】
前記送信電力制御情報は、ＴＰＣである請求項１から請求項９いずれかに記載の通信装置。
【請求項１１】
請求項１から請求項１０いずれかに記載の通信装置を搭載した通信端末装置。
【請求項１２】
請求項１から請求項１０いずれかに記載の通信装置を搭載した基地局装置。
【請求項１３】
通信相手の送信電力を制御するための複数の送信電力制御情報を生成する送信電力制御情報生成ステップと、前記複数の送信電力制御情報を１タイムスロットに含めた送信信号を生成する送信信号生成ステップと、前記送信信号を送信する送信ステップと、を具備する通信方法。
【請求項１４】
前記送信電力制御情報は、前記通信相手から受信した複数タイムスロットの信号に基づいて生成される請求項１３記載の通信方法。
【請求項１５】
前記送信電力制御情報は、前記通信相手から受信した複数タイムスロットの信号から算出した、複数のＳＩＲに基づいて生成されている請求項１３記載の通信方法。
【請求項１６】
通信相手からの信号を複数タイムスロットの間受信する受信ステップと、
前記受信ステップで受信した複数タイムスロットの信号に基づいて、通信相手の送信電力を制御するための送信電力制御情報を複数生成する送信電力制御情報生成ステップと、
前記送信電力制御情報生成ステップで生成された複数の送信電力制御情報を１タイムスロットに含めた送信信号を生成する送信信号生成ステップと、
前記送信信号生成ステップで生成された複数の送信電力制御情報を１タイムスロットに含む信号を通信相手に送信する送信ステップと、を備えた通信方法。
【請求項１７】
１タイムスロットに複数の送信電力制御情報を含む信号を受信する受信ステップと、
前記複数の送信電力制御情報に基づいて、複数タイムスロットの信号の送信電力を各々増幅する増幅ステップと、
前記増幅された複数タイムスロットの信号を送信する送信ステップと、を備えた通信方法。
【請求項１８】
通信相手と非対称通信を行う請求項１３から請求項１７いずれかに記載の通信方法。
【請求項１９】
通信相手から受信する信号のタイムスロット数と、通信相手へ送信する信号のタイムスロット数とが異なる通信を行う請求項１３から請求項１７いずれかに記載の通信方法。
【請求項２０】
通信相手から受信する信号のタイムスロット数が、通信相手へ送信する信号のタイムスロット数より多い通信を行う請求項１３から請求項１６いずれかに記載の通信方法。
【請求項２１】
通信相手から受信する信号のタイムスロット数が、通信相手へ送信する信号のタイムスロット数より小さい通信を行う請求項１７に記載の通信方法。
【請求項２２】
前記送信電力制御情報は、ＴＰＣである請求項１３から請求項２１いずれかに記載の通信方法。
【請求項２３】
第１の通信装置と第２の通信装置との間で非対称通信を行う通信システムであって、
前記第１の通信装置は、前記第２の通信装置の送信電力を制御するための送信電力制御情報を１タイムスロットに複数含む信号を、前記第２の通信装置へ送信し、
前記第２の通信装置は、前記第１の通信装置から送信された複数の送信電力制御情報に基づいて、複数タイムスロットの信号の送信電力を制御して前記第１の通信装置に送信する通信システム。
【手続補正３】
【補正対象書類名】明細書
【補正対象項目名】０００１
【補正方法】変更
【補正の内容】
【０００１】
本発明は、自動車電話、携帯電話等の無線伝送システムに用いられる通信装置及び通信方法に関する。
【手続補正４】
【補正対象書類名】明細書
【補正対象項目名】０００８
【補正方法】変更
【補正の内容】
【０００８】
本発明はかかる点に鑑みてなされたものであり、非対称通信において各スロット毎に高精度に送信電力を制御することができる通信装置及び通信方法を提供することを目的とする。
【手続補正５】
【補正対象書類名】明細書
【補正対象項目名】０００９
【補正方法】変更
【補正の内容】
【０００９】
本発明の通信装置は、第１変調方式の多値変調シンボルに、規則的に第２変調方式の位相変調シンボルを挿入しており、通信状況に合わせて第１変調方式の多値変調シンボルの変調方式を切り替える方法を採る。また、本発明の通信方法は、規則的に挿入している第２変調方式の位相変調シンボルを２値位相変調シンボルとする方法を採る。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
本発明の通信方法は、通信相手の送信電力を制御するための複数の送信電力制御情報を生成する送信電力制御情報生成ステップと、前記複数の送信電力制御情報を１タイムスロットに含めた送信信号を生成する送信信号生成ステップと、前記送信信号を送信する送信ステップと、を具備することとした。
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】